(57)【要約】      （修正有）【課題】使用の際に土砂詰め土嚢と同等の強度を持ち、防弾効果が充分である上に、運搬時、保管時において体積が少ないとともに軽量であり、迅速、容易かつ確実に運搬、設置作業をすることができるとともに小スペースで備蓄することができ、テロ等の急を要する突発的事故に対処できる防弾用土嚢を提供する。【解決手段】袋１の中に粉末状の吸水ポリマー２を封入し、しかも該袋を扁平状に形成する。この袋は内袋３と外袋４とからなる二重袋であり、前記吸水ポリマーは上記内袋内に封入されている。【選択図】図１
0003105887.tif 000002
【実用新案登録請求の範囲】
【請求項１】
袋の中に粉末状の吸水ポリマーを封入し、しかも該袋を扁平状に形成してなることを特徴とする防弾用土嚢。
【請求項２】
前記袋が内袋と外袋とからなる二重袋であり、吸水ポリマーが上記内袋内に封入されている請求項１の防弾用土嚢。
【考案の詳細な説明】
【技術分野】
【０００１】
本考案はテロなど突発的な事故の際に弾除けとして使用する土嚢に関する。
【背景技術】
【０００２】
従来から知られている防弾用土嚢は袋の中に土砂を詰め込んで膨満させている。
【考案の開示】
【考案が解決しようとする課題】
【０００３】
前記の従来例は強度が大きく、防弾効果があるものの、重量および体積が大きく、運搬、積み上げ、保管等の作業を迅速にすることができず、テロ等の突発的事故に迅速に対処できず、不都合である。
【０００４】
本考案はこれらの不都合を解消することを課題とする。
【課題を解決するための手段】
【０００５】
本考案の第１の手段は袋の中に粉末状の吸水ポリマーを封入し、しかも該袋を扁平状に形成するものである。
【０００６】
本考案の第２の手段は袋が内袋と外袋とからなる二重袋であり、吸水ポリマーが上記内袋内に封入されているものである。
【考案の効果】
【０００７】
請求項１の本考案によれば、使用時において従来例と略同等の強度を持ち、防弾効果が充分である上に、運搬時、保管時において扁平で、かつ体積が少なく、しかも軽量であり、迅速、容易かつ確実に運搬、設置作業をすることができるとともに小スペースで備蓄することができ、テロ等の急を要する突発的事故に効果的である。
【０００８】
請求項２の本考案によれば、請求項１の考案に加えて丈夫であり、良好な段積み状態にすることができ、しかも内部のポリマーを確実に収納することができる。
【考案を実施するための最良の形態】
【０００９】
細目の綿布からなる内袋３を天然麻からなる外袋４に入れて袋１として二重袋を形成する。前記内袋３内に吸水ポリマー２として架橋ポリアクリル酸塩を粉末状にして封入し、内袋３、外袋４を縫着して袋１全体を扁平状にする。
【００１０】
次に本考案例の使用法を説明する。
【００１１】
図１で示す例は、袋１の大きさが縦５８５ｍｍ、横３５０ｍｍであり、吸水ポリマー２としての粉末状の架橋ポリアクリル酸塩を袋１内に４００ｇ封入して袋１を扁平状にし、これを水６を張ったコンテナケースやトロ箱等の箱状体５に３分〜５分間、浸漬する。前記吸水ポリマー２は吸水倍率が約４００倍に容積が膨満し、１５ｋｇの土嚢１０となったものである。
【００１２】
また、前記方法により製作した土嚢１０の防弾試験を図２、３で示すように、土嚢１０（高さ３３０ｍｍ、幅２５０ｍｍ、１袋の奥行２００ｍｍを縦長で前後方向に６袋、当接して並べ、射程距離を５０ｍとし、また使用装弾はライフルド・スラグ（散弾銃用アポロタイプ）で、その仕様内訳はアポロ装弾仕様（試作装弾）で、初速３５０ｍ／sec相当品と初速４５０ｍ／sec相当品で矢印方向から弾丸Ｓを射入したところ、次に示す表１のとおりであった。
【００１３】
なお、ライフルド・スラグ装弾は猪等大型獣の捕獲に使用され、その特性は破壊力重視の装弾で、貫通力は小さい。またその特性は弾丸に軟質鉛を採用し、命中弾丸をいち早くマッシュルーム型に変形または数個の大塊に破裂させ、体内の組織や神経等を破断して倒すことにある。
【００１４】
【表１】
0003105887.tif 000003
【００１５】
表１から明らかなように試験例の場合、８０ｃｍ以内で防弾可能であることがわかる。
【００１６】
また前記方法により製作した土嚢１０を図４、５で示すように奥行を２列で１２００ｍｍ、千鳥状に平積みにして最下段を５列で１，５００ｍｍ、これを５段にして高さ５００ｍｍにし、しかも射程距離を３０ｍにして前記と同一の使用装弾で図５の矢印方向から弾丸ｓを射入したところ、次に示す表のとおりであった。
【００１７】
【表２】
0003105887.tif 000004
【００１８】
表２から明らかなように試験例の場合、６０ｃｍ以内で防弾可能であることがわかる。
【００１９】
また上記３５０ｍ／sec追射での弾丸通過は、着弾で生じる衝撃で土嚢１０が揺れ動き千鳥積みの荷姿が崩れ、土嚢１０、１０間を通過したものと推察する。その根拠は後列土嚢１０に損傷の痕跡が見られていないからである。なお、弾丸ｓは確認板７で防弾されていた。ちなみに図２〜７において符号８はセット用底板、符号９は枕木、符号８０はセット用立て板である。
【００２０】
次に、表２の結果を得た場合と同一条件で、射程距離を１０ｍにして試験した場合は次に示す表のとおりであった。
【００２１】
【表３】
0003105887.tif 000005
【００２２】
表３から明らかなように試験例の場合、６０ｃｍ以内で防弾可能であることがわかる。
【００２３】
また内部に土砂を詰めた従来の土嚢１０′で図６、７で示す試験をした。各土嚢１０′の幅は３５０ｍｍ、高さが４００ｍｍ、奥行が２５０ｍｍで前後方向に当接させて４袋（１，０００ｍｍ）並設し、表３の結果を得た場合と、射程距離１０ｍを含め、同一条件で図６矢印方向から弾丸ｓを射入したところ、次に示す表のとおりであった。
【００２４】
【表４】
0003105887.tif 000006
【００２５】
表４から明らかなように、従来土嚢１０′の場合、３５０ｍ／secの場合は７５ｃｍ以内で防弾が可能であり、４５０ｍ／secの場合は５０ｃｍ以内であることがわかる。
【００２６】
表１〜４で示すように、積み方で若干異なるが、いずれも８０ｃｍ以内で貫通が防止されており、本考案の場合も従来の土砂詰め土嚢と略同等の強度があり、防弾効果が充分である。それにもかかわらず、常時は扁平で、しかも重量および体積が従来土嚢より遥かに小さくなり、運搬、保管、回収作業を極めて迅速にすることができ、テロのような突発事故対策に非常に有効である。
【００２７】
また、内袋３に細目の綿布を用いると、内部の吸水ポリマーの漏れがなく、しかも外袋４に天然麻を用いると袋１自体の耐圧性が大きく、段積み状態で使用する本考案に最適であり、かつ麻布、綿布とも天然素材であり、産業廃棄物の対象外であり、一般ゴミとして処理が可能であるとともに自然放置した場合でも風化して土壌に帰し、環境的にも優しいものである。前記吸水ポリマー２、袋１とも焼却処分しても無害である。
【００２８】
なお、本考案例の土嚢を使用した後の処理方法について説明する。
【００２９】
まず、袋１を切り裂き、中の吸水ポリマー２を直接日光に晒しておくと、約半日で風化分解する。乾いた後には細かいポリアクリル酸ソーダーの粉末が微量に残るが無害である。また少量の場合は土に混ぜておくと生分解し消滅する（土壌改良剤と同等）。
【００３０】
さらに、急速処理したい場合には、塩化カルシウム（凍結防止剤）１０％〜２０％水溶液を土嚢１０にかけると、急速に収縮し、５分程度で水を排出する。
【図面の簡単な説明】
【００３１】
【図１】本考案の使用状況を示す説明図である。
【図２】同上の試験状況（縦列）を側面視した概略図である。
【図３】同上の正面図である。
【図４】同上の他の試験状況（千鳥状平積み）を正面視した概略図である。
【図５】同上の拡大側面図である。
【図６】従来例の試験状態（縦列）を側面視した説明図である。
【図７】同上の拡大正面図である。
【符号の説明】
【００３２】
１−袋
２−吸水ポリマー
３−内袋
４−外袋
【図１】
0003105887.tif 000007
【図２】
0003105887.tif 000008
【図３】
0003105887.tif 000009
【図４】
0003105887.tif 000010
【図５】
0003105887.tif 000011
【図６】
0003105887.tif 000012
【図７】
0003105887.tif 000013